(57)【要約】【課題】システムの管理・運用上、経済的負担や人材的負担などが皆無となる入院施設などで用いられるベッドサイド情報制御システムを提供する。【解決手段】本発明のベッドサイド情報制御システムは、病院関連施設を利用するユーザーによって用いられるベッドサイド情報制御システムであって、ユーザーが所有すると共に、当該ユーザーの決済を電子的に可能とする電子決済手段を読み取る非接触式チップリーダーライター部１１７と、前記非接触式チップリーダーライター部１１７で読み取った前記電子決済手段のＩＤを、ユーザー毎のＩＤとして記憶するカードチップＩＤデータベース（２１０）と、前記カードチップＩＤデータベース（２１０）の記憶内容に応じて、ユーザーに提供するサービスメニュー画面をユーザー毎に変更するディスプレイ１０６と、を有することを特徴とする。【選択図】      図１
2011087802.tif 000002
【特許請求の範囲】
【請求項１】
病院関連施設を利用するユーザーによって用いられるベッドサイド情報制御システムであって、
ユーザーが所有すると共に、当該ユーザーの決済を電子的に可能とする電子決済手段を読み取るリーダー手段と、
前記リーダー手段で読み取った前記電子決済手段のＩＤを、ユーザー毎のＩＤとして記憶する記憶手段と、
前記記憶手段の記憶内容に応じて、ユーザーに提供するサービスメニュー画面をユーザー毎に変更する表示手段と、を有することを特徴とするベッドサイド情報制御システム。
【請求項２】
ユーザーの在不在を検出する検出手段を有し、
前記表示手段は、前記検出手段の検出結果に応じて、表示を変更することを特徴とする請求項１に記載のベッドサイド情報制御システム。
【請求項３】
前記リーダー手段を外部からは不可視的に収納する収納部と、
前記収納部内に収納されたリーダー手段が読み取る電子決済手段によって、決済を行って良いかをユーザーに確認する確認手段と、を有することを特徴とする請求項１又は請求項２に記載のベッドサイド情報制御システム。
【請求項４】
前記電子決済手段が携帯電話に内蔵されることを特徴とする請求項３に記載のベッドサイド情報制御システム。
【請求項５】
前記電子決済手段がカードに内蔵されることを特徴とする請求項３に記載のベッドサイド情報制御システム。
【発明の詳細な説明】
【技術分野】
【０００１】
本発明は、病院の入院施設のベッドサイドに設置され、ユーザー（入院患者）に種々のサービスを提供するベッドサイド情報制御システムに関する。
【背景技術】
【０００２】
従来、病院の入院施設のベッドサイドにおけるテレビ視聴環境、インターネット利用環境を病院側が提供する方式としては、ユーザー（入院患者）毎にＩＤ、パスワードを割り振り、ユーザーが割り振られたＩＤ、パスワードをベッドサイドに設置されたシステムに入力し、ユーザーはこれにより認証を受けて、テレビやインターネットを利用する方式が知られている。また、このような方式に関連し、ユーザーに割り振ったＩＤを元に、テレビ視聴やインターネット利用に対する課金などを行う仕組みなどが提案されている。
【０００３】
例えば、特許文献１（特開２００６−２０８７７号公報）には、病院内のベッドの近くに置かれるベッドサイド端末装置であって、病院内の医療情報を提供する医療情報システムへの接続と、外部のネットワークへの接続と、テレビの映像信号の供給の何れかを切り換える切替装置を有し、前記切替装置は、病院内の医療情報システムに対するアクセス許可が得られた場合には、前記ベッドサイド端末装置を前記医療情報システムにのみ接続し、外部のネットワークとの接続の許可が得られた場合には、前記ベッドサイド端末装置を外部のネットワークにのみ接続し、前記切替装置がテレビの映像信号を前記ベッドサイド端末装置に出力している場合には所定時間単位または日単位で課金を行い、前記切替装置がインターネットに前記ベッドサイド端末装置を接続している場合には所定時間単位または日単位で課金を行う課金手段を有するベッドサイド端末装置が開示されている。
【特許文献１】特開２００６−２０８７７号公報
【発明の概要】
【発明が解決しようとする課題】
【０００４】
従来のベッドサイド情報システムでは、ユーザー毎にＩＤ、パスワード等を割り振って管理・運用を行うために、システムの管理・運用を行うためだけのスタッフが必要となったり、或いはシステムとは関係のない病院スタッフにシステム管理の作業負担を要求する必要性が生じたりすることとなり、システムを管理・運用する上で、経済的にも人材的にも負担が大きい、という問題があった。
【０００５】
ところで、入院施設では、マナーなどの問題から、入院患者及びその関係者に対して一切の携帯電話の使用を禁止する病院などがある。このような携帯電話の院内での使用禁止については、マナー問題に加えて、医療機器への影響を懸念する入院患者もいるためであることも一因である。このような携帯電話使用禁止の入院施設では、目に触れるところに携帯電話が存在すること自体が問題となることもあるが、実際には携帯電話の使用が禁じられると困る者も存在するわけであり、入院施設内では携帯電話が目に触れない形で携帯電話による通話ができる環境が整えば理想である。しかしながら、従来このような環境を整えることが不可能であり、入院施設における問題のひとつなっていた。
【課題を解決するための手段】
【０００６】
この発明は、上記課題を解決するものであって、請求項１に係る発明は、病院関連施設を利用するユーザーによって用いられるベッドサイド情報制御システムであって、ユーザーが所有すると共に、当該ユーザーの決済を電子的に可能とする電子決済手段を読み取るリーダー手段と、前記リーダー手段で読み取った前記電子決済手段のＩＤを、ユーザー毎のＩＤとして記憶する記憶手段と、前記記憶手段の記憶内容に応じて、ユーザーに提供す
るサービスメニュー画面をユーザー毎に変更する表示手段と、を有することを特徴とする。
【０００７】
また、請求項２に係る発明は、請求項１に記載のベッドサイド情報制御システムにおいて、ユーザーの在不在を検出する検出手段を有し、前記表示手段は、前記検出手段の検出結果に応じて、表示を変更することを特徴とする。
【０００８】
また、請求項３に係る発明は、請求項１又は請求項２に記載のベッドサイド情報制御システムにおいて、前記リーダー手段を外部からは不可視的に収納する収納部と、前記収納部内に収納されたリーダー手段が読み取る電子決済手段によって、決済を行って良いかをユーザーに確認する確認手段と、を有することを特徴とする。
【０００９】
また、請求項４に係る発明は、請求項３に記載のベッドサイド情報制御システムにおいて、前記電子決済手段が携帯電話に内蔵されることを特徴とする。
【００１０】
また、請求項５に係る発明は、請求項３に記載のベッドサイド情報制御システムにおいて、
前記電子決済手段がカードに内蔵されることを特徴とする。
【発明の効果】
【００１１】
本発明のベッドサイド情報制御システムによれば、ユーザー毎にＩＤ、パスワード等を割り振る必要がなく、システムの運用管理のためのスタッフが不要であり、システムの管理・運用上、経済的負担や人材的負担などが皆無となる。
【００１２】
また、本発明のベッドサイド情報制御システムによれば、携帯電話が目に触れない形で携帯電話による通話ができる環境を整えることが可能となる。
【図面の簡単な説明】
【００１３】
【図１】本発明の実施形態に係るベッドサイド情報制御システム（１ユニット分）のブロック構成の概略を示す図である。
【図２】本発明の実施形態に係るベッドサイド情報制御システムのネットワーク環境の概略を説明する図である。
【図３】本発明の実施形態に係るベッドサイド情報制御システムにおけるカードチップＩＤデータベースのデータ構造概略を説明する図である。
【図４】本発明の実施形態に係るベッドサイド情報制御システムにおける医療情報データベースのデータ構造概略を説明する図である。
【図５】本発明の実施形態に係るベッドサイド情報制御システム（１ユニット分）の物理的構成の概要を示す図である。
【図６】本発明の実施形態に係るベッドサイド情報制御システムの収納部内の様子を示す図である。
【図７】本発明の実施形態に係るベッドサイド情報制御システムの収納部内の様子を示す図である。
【図８】本発明の実施形態に係るベッドサイド情報制御システムの処理フローを示す図である。
【図９】本発明の実施形態に係るベッドサイド情報制御システムの課金意思確認処理サブルーチンのフローチャートを示す図である。
【図１０】本発明の実施形態に係るベッドサイド情報制御システムの画面表示処理サブルーチンのフローチャートを示す図である。
【図１１】本発明の実施形態に係るベッドサイド情報制御システムのディスプレイ画面表示例を示す図である。
【図１２】本発明の実施形態に係るベッドサイド情報制御システムのディスプレイ画面表示例を示す図である。
【図１３】本発明の実施形態に係るベッドサイド情報制御システムにおいて携帯電話発信時のディスプレイ画面表示例を示す図である。
【図１４】本発明の実施形態に係るベッドサイド情報制御システムにおいて携帯電話着信時のディスプレイ画面表示例を示す図である。
【発明を実施するための形態】
【００１４】
以下、本発明の実施の形態を図面を参照しつつ説明する。図１は本発明の実施形態に係るベッドサイド情報制御システム（１ユニット分）のブロック構成の概略を示す図であり、図２は本発明の実施形態に係るベッドサイド情報制御システムのネットワーク環境の概略を説明する図であり、図５は本発明の実施形態に係るベッドサイド情報制御システム（１ユニット分）の物理的構成の概要を示す図であり、図６は本発明の実施形態に係るベッドサイド情報制御システムの収納部内の様子を示す図である。図１乃至図６において、１はベッドサイド情報制御システム（全体構成）、１０はローカルエリアネットワーク、５０は床頭台、５１は収納部、１００はベッドサイド情報制御システム（１ユニット構成）、１０１はＣＰＵ、１０２はバス、１０３は不揮発性記憶部、１０４はＲＡＭ、１０５は画像制御部、１０６はディスプレイ、１０７は画像入力インターフェイス部、１０８はカメラ、１０９はセンサインターフェイス部、１１０は在床検出センサ、１１１はテレビ受信回路部、１１２は電源制御部、１１３は照明部、１１４はナースコール端末インターフェイス部、１１５はナースコール端末、１１６は携帯電話インターフェイス部、１１７は非接触式チップリーダーライター部、１１８はヘッドセットインターフェイス部、１１９はヘッドセット、１２０はリモコン受信部、１２１はリモコン、１２２は通信部、２００は病院内イントラネット用サーバー、
２１０はカードチップＩＤデータベース、２２０は医療情報データベース、２５０は売店側受注端末、３００は携帯電話、３０１は通信部、３０２はコントローラー部、３０３はストアードフェア型チップ、３５０はストアードフェア型カードをそれぞれ示している。
【００１５】
本発明の実施形態に係るベッドサイド情報制御システムは、通常、複数の入院患者（ユーザー）を収容することが可能な病院（病院関連施設、医療福祉施設なども含む）などで用いられることを想定しており、それぞれの入院患者（ユーザー）のベッドサイドに設置された当該システムを用いることによって、ユーザーがインターネットにアクセスすることを可能としたり、病院内の情報を得ることを可能としたりするものである。それぞれのユーザーが利用する１ユニット分のシステム図が図１に示すものであり、その物理的な構成が図５にしめすものである。このような１ユニット分のシステムはそれぞれ図２に示すような病院内のローカルエリアネットワーク１０に通信可能に接続されており、同じくローカルエリアネットワーク１０に通信可能に接続されている病院内イントラネット用サーバー２００から病院外のインターネットなどの通信回線に接続されるようになっている。また、ローカルエリアネットワーク１０には、病院内の売店などに設置された売店側受注端末２５０とも接続されており、ユーザーは本発明の実施形態に係るベッドサイド情報制御システムから、この売店側受注端末２５０に対して、商品の発注などができるようになっている。そして、本発明の実施形態に係るベッドサイド情報制御システムにおいては、このような商品の発注に対する決裁も、携帯電話に内蔵されるストアードフェア型チップや、或いは、ストアードフェア型チップ内蔵のカードによって行うことを想定している。なお、このようなストアードフェア型チップは、ユーザーの決済を電子的に可能とする電子決済手段として広く普及している一般的なものを用いることができる。ただ、本発明のベッドサイド情報制御システムで用い得る電子決済手段は、このような携帯電話に内蔵されるストアードフェア型チップに限定されるものではない。すなわち、本発明のベッドサイド情報制御システムでは、カードに内蔵されているストアードフェア型チップ、或いは、クレジットカード、デビットカードなどといった、より広範な電子決済手段を用いるこ
とが可能である。
【００１６】
ここで、病院内イントラネット用サーバー２００についてより詳しく説明する。本実施形態に係るベッドサイド情報制御システムにおける病院内イントラネット用サーバー２００には、少なくとも、カードチップＩＤデータベース２１０及び医療情報データベース２２０のデータベースを有している。
【００１７】
カードチップＩＤデータベース２１０は、ユーザー毎のストアードフェア型チップのＩＤを記憶するものであり、例えばそのデータ構造は図３に示すようなものを用いることができる。図３は本発明の実施形態に係るベッドサイド情報制御システムにおけるカードチップＩＤデータベース２１０のデータ構造概略を説明する図である。図３に示すように、カードチップＩＤデータベース２１０は、例えば「ユニットＮｏ．」、「ユーザー名」、「決済手段有無」、「決済用チップＩＤ」に係るデータを保持するようにしておく。
【００１８】
上記のような構造を持つカードチップＩＤデータベース２１０においては、入院患者（ユーザー）がどのＮｏ．のユニットを利用するかに応じて、「ユニットＮｏ．」、「ユーザー名」のデータを構築することができる。さらに、ユーザーがユニットにストアードフェア型チップをセットした場合には「決済手段有無」のデータを「有」とし、さらに当該ストアードフェア型チップのＩＤ自体をユーザーのＩＤとして用いるようにする。
【００１９】
ストアードフェア型チップには、予め、唯一無二のＩＤが記憶されており、課金処理のためにこのＩＤ情報が利用されるようになっているが、本システムでは、このようなストアードフェア型チップに予めふられているＩＤを、そのままユーザーのＩＤとして利用する。
【００２０】
このように、本発明のベッドサイド情報制御システムでは、ストアードフェア型チップのＩＤをそのままシステムが利用するので、従来のようにユーザー毎にＩＤ、パスワード等を割り振る必要がなくなる。
【００２１】
医療情報データベース２２０は、少なくともユーザー（患者）毎の症状データ、及び、症状に応じた食事管理データを記憶するものであり、例えばそのデータ構造は図４に示すようなものを用いることができる。図４は本発明の実施形態に係るベッドサイド情報制御システムにおける医療情報データベース２２０のデータ構造概略を説明する図である。図４に示すように、医療情報データベース２２０は、データベース（Ａ）として、例えば「ユーザー名」、「診断データ」に係るデータを、データベース（Ｂ）として、例えば「症状名」、「献立１」、「献立２」、「献立３」、「献立４」、「献立５」・・・・に係るデータを、保持するようにしておく。
【００２２】
上記のような医療情報データベース２２０においては、データベース（Ａ）によって入院患者（ユーザー）毎の、症状を記憶し、さらにデータベース（Ｂ）で、症状に応じた献立の選択の可否を記憶するようにしている。
【００２３】
本発明のベッドサイド情報制御システムでは、後述するように、ユーザーは「食事選択サービス」から食事を選択することができるようになっているが、このような医療情報データベース２２０を用いることにより、それぞれのユーザーに応じた献立情報を提供することができるようになっている。すなわち、「食事選択サービス」において、ユーザーの症状に対し不適切な献立は、予めユーザーに提示しないなどの配慮が行き届いた献立情報を提供することができるようになる。より具体的には、上記のような献立情報によれば、例えば、「食事選択サービス」で、糖尿病の人には甘い菓子類（ケーキなど）は表示されない、腎臓病の患者には塩分の多い加工食品(かまぼこ・ちくわなど)など）は表示されな
いなど、といった画面構成とすることができる。
【００２４】
次に、図１及び図５を参照し、本発明の実施形態に係るベッドサイド情報制御システムの１ユニット分の構成について詳しく説明する。
【００２５】
ベッドサイド情報制御システム（１ユニット構成）１００のメインシステムは周知のパーソナルコンピュータなどの情報処理装置により構成することができ、例えばベッドサイド脇に設けられる床頭台５０の中に収容することができる。システムにおいて、ＣＰＵ１０１はバス１０２を通じてシステム内の各部と接続されている。このうち不揮発性記憶部１０３はこのベッドサイド情報制御システム（１ユニット構成）１００の各部を制御するためのプログラムを格納したリード・オンリ・メモリやハードディスクドライブ、フラッシュメモリなどである。また、ＲＡＭ１０４はプログラムを実行するときに必要となる一時的なデータおよび画像等を含んだ通信データを一時的に格納するランダム・アクセス・メモリである。
【００２６】
画像制御部１０５は接続されているディスプレイ１０６を制御するものである。また、画像入力インターフェイス部１０７はカメラ１０８によって撮像された画像データをＣＰＵ１０１が処理可能と形で取り込むものである。カメラ１０８で取り込まれた画像は、携帯電話３００を介して送信することができるようになっている。また、カメラ１０８で取り込まれた画像は、インターネットによるテレビ電話における画像データとして、或いは、ナースコール時のナース側へ画像提供するためのデータとして、或いは、画像取り込み機能などのためのデータとして利用することが可能である。
【００２７】
また、入院患者のベッドの下部には圧力などを検知する在床検出センサ１１０が設けられており、センサインターフェイス部１０９はこの在床検出センサ１１０による検出結果をＣＰＵ１０１が処理できるようにするものである。本実施形態に係るベッドサイド情報制御システムでは、このような在床検出センサ１１０の検出結果によって、ユーザーがベッド上に存在することを判定し、ユーザーがベッド上に存在するときにのみ、ディスプレイ１０６で表示を行うようにして、システムのセキュリティーレベルを向上させるようにしている。また、在床検出センサ１１０の検出結果や、後述する非接触式チップリーダーライター部１１７での読み取り状況の結果、或いはこれら両方の結果によって、ユーザーがベッド上に存在することが確認できたときに、照明部１１３を点灯するようにし、不要な電力消費などを抑えるようにしている。このように、本実施形態によれば、ユーザー不在時に消灯などを行うことができるので省エネルギー化を進めることが可能となる。
【００２８】
なお、本実施形態においては、ユーザーの在・不在を在床検出センサ１１０の検出結果によって判定するようにしているが、このような検出を行うために、赤外センサを用いたり、カメラからの画像データを用いたりするようにしてもよい。
【００２９】
テレビ受信回路部１１１は、テレビ放送の電波を受信し、これをディスプレイ１０６に表示可能な信号に変換するものである。
【００３０】
電源制御部１１２は、ＣＰＵ１０１からの指令に基づいて、接続されている照明部１１３のオンオフを制御するものである。ＣＰＵ１０１は、在床検出センサ１１０からの検出信号によって、在床検出センサ１１０で圧力を検出したときにのみ、電源制御部１１２で照明部１１３をオンするように制御する。なお、このような電源制御部１１２でオンオフを制御する対象としては照明部１１３に限定されることなく、ＣＤ、ラジオなどのその他の電気応用製品であっても構わない。
【００３１】
ナースコール端末１１５は、病院設備として一般的に使用されるものであり、このナー
スコール端末１１５とＣＰＵ１０１などとのインターフェイスとなるものが、ナースコール端末インターフェイス部１１４である。ナースコール端末１１５は、通信部１２２を介するによって、ナースセンターに設置される端末(不図示)などと通話などができるようになっている。
【００３２】
携帯電話インターフェイス部１１６は、携帯電話３００のコントローラー部３０２とＣＰＵ１０１との間のインターフェイスとして機能する。携帯電話３００は、このような携帯電話インターフェイス部１１６に接続されることにより、ＣＰＵ１０１によって携帯電話の通信部３０１がコントロールされるようになっている。すなわち、携帯電話インターフェイス部１１６によって、携帯電話３００は本発明の実施形態に係るベッドサイド情報制御システムから制御することができるようになる。
【００３３】
また、非接触式チップリーダーライター部１１７はＣＰＵ１０１からの指令に基づいて、携帯電話３００に内蔵されているストアードフェア型チップ３０３と無線通信を行い、ストアードフェア型チップ３０３にストアされている電子マネーを徴収することができるようになっている。このような非接触式チップリーダーライター部１１７によって、本発明の実施形態に係るベッドサイド情報制御システムでは、ユーザーに対する課金を決裁することができるようになっており、これにより課金に伴う煩わしさなどを解消することが可能となるのである。また、本発明に係るベッドサイド情報制御システムにおいては、予めユーザーが所有している携帯電話３００に内蔵されているストアードフェア型チップ３０３を用いることで、ユーザー毎にＩＤ、パスワード等を割り振る必要がなく、システムの運用管理のためのスタッフが不要であり、システムの管理・運用上、経済的負担や人材的負担などが皆無となる。
【００３４】
なお、本実施形態では、携帯電話３００に内蔵されているストアードフェア型チップ３０３と無線通信を行う例で説明を行ったが、これによらず有線通信を用いるようにしてもよい。また、ユーザーに対する課金を行うために、ユーザーのクレジットカード、デビットカードを用いるようにしても良い。その場合には、非接触式チップリーダーライター部１１７に代えて、クレジットカードの磁気記憶部や、ＩＣチップを読み取るリーダー部を設けるようにする。
【００３５】
また、本発明のベッドサイド情報制御システムにおいて、ユーザーに対する課金のために、クレジットカード、デビットカードなどを用いるように構成する場合には、リモコン１２１の数字キー（不図示）などを用いることで、ユーザーに暗証番号を入力してもらうステップを設定するようにしておくことが好ましい。
【００３６】
また、本実施形態においては、ユーザーのストアードフェア型チップ３０３に係る情報と、在床検出センサ１１０の検出情報の双方を利用することで、特別な操作なしに他の人の不正利用を防止することができる。
【００３７】
ところで、携帯電話インターフェイス部１１６と携帯電話３００とを接続するコード、コネクタ及び非接触式チップリーダーライター部１１７は、図６に示すように床頭台５０の収納部５１内に外部から不可視的に収められている。このような収納部５１内で、携帯電話３００は前記コネクタにより携帯電話インターフェイス部１１６と接続された状態で、非接触式チップリーダーライター部１１７上に載置するようにしてセットする。このように本発明の実施形態に係るベッドサイド情報制御システムでは、携帯電話３００は収納部５１内に見えない状態で収められる。そして、システムのＣＰＵ１０１によって携帯電話３００をコントロールし、システム側からの制御で携帯電話３００による通話を行うようにしている。携帯電話３００が前記コネクタにより携帯電話インターフェイス部１１６と接続された状態であるときには、システム側から携帯電話３００に対して給電を行うよ
うにしている。
【００３８】
図６に示す例では、収納部５１内で、携帯電話３００をコネクタにより携帯電話インターフェイス部１１６と接続した状態とし、非接触式チップリーダーライター部１１７上に載置することで、携帯電話３００の通話を実現すると共に、携帯電話３００内蔵のストアードフェア型チップ３０３から課金を行うようにしていた。一方、携帯電話は利用しないが、ストアードフェア型カードで課金を行いたい、というユーザーのニーズも存在する。このような場合は、図７に示すように、非接触式チップリーダーライター部１１７上に、ユーザーが所有するストアードフェア型カード３５０を載置することにより、ストアードフェア型カード３５０内蔵のチップ（不図示）に対して課金することができるようになっている。すなわち、非接触式チップリーダーライター部１１７はＣＰＵ１０１からの指令に基づいて、ストアードフェア型カード３５０内蔵のチップと無線通信を行い、ストアードフェア型カード３５０にストアされている電子マネーを徴収することができるようになっている。
【００３９】
ヘッドセット１１９はユーザーが携帯電話使用時や、テレビ視聴時、ナースコール時に用いることが想定されるものであり、ヘッドフォン部とマイクロフォン部とから構成されている。このヘッドセット１１９は、無線通信でヘッドセットインターフェイス部１１８と通信可能とされる。なお、ヘッドセット１１９とヘッドセットインターフェイス部１１８との間を有線で通信させるように構成しても良い。
【００４０】
リモコン１２１は、数字キー、十字キー、決定キー、キャンセルキーなどにより、これらのキーに対応するコマンドを入力することができる一般的なものを用いることが可能である。数字キーは、テレビ視聴時にはチャンネル選択などに利用することができ、携帯電話３００利用時には電話番号の入力に利用することができる。また、十字キー、決定キー、キャンセルキーは、ディスプレイ１０６上に表示されるメニュー画面の選択時や、通話ボタン、発信・着信ボタンや切断ボタンの選択などに用いることができる。リモコン１２１は、赤外線通信によりリモコン受信部１２０と通信することで、ＣＰＵ１０１などにコマンドを送信することが可能となる。
【００４１】
通信部１２２は、ローカルエリアネットワーク１０などで構成される病院内のイントラネットと接続するためのインターフェイスであり、この通信部１２２によってＣＰＵ１０１は外部機器と情報通信を行うことができるようになっている。
【００４２】
次に、以上のように構成されるベッドサイド情報制御システムの処理・動作例について説明する。図８は本発明の実施形態に係るベッドサイド情報制御システムの処理フローを示す図である。図１において、ステップＳ１００で、１ユニット単位でのベッドサイド情報制御システムが起動されて、処理が開始されると、続いてステップＳ１０１に進み、非接触式チップリーダーライター部１１７において、課金可能なストアードフェア型チップが検出されたか否かが判定される。
【００４３】
ステップＳ１０１における判定の結果がＹＥＳであるときにはステップＳ１０２に進み、ＮＯであるときにはステップＳ１０３に進む。ストアードフェア型チップに対する課金の可否を記憶するフラグを設けておき、ステップＳ１０３ではこのフラグに「課金不許可」を記憶させる。
【００４４】
一方、ステップＳ１０１における判定がＹＥＳであるときに進むステップＳ１０２では、ユーザーは、所有するストアードフェア型チップに対して課金する意思があるか否かに係る確認が済んでいるかが判定される。
【００４５】
ユーザーの意思確認を既に行っている場合には、ステップＳ１０２からステップＳ１０５に進み、ユーザーの意思確認を行っていない場合には、ステップＳ１０４に進み、課金意思確認処理サブルーチンを実行する。図９は本発明の実施形態に係るベッドサイド情報制御システムの課金意思確認処理サブルーチンのフローチャートを示す図である。図９において、ステップＳ２００で、課金意思確認処理のサブルーチンが開始されると、次に、ステップＳ２０１に進み、課金を実行して良いか否かをユーザーに対して回答を促す質問画面をディスプレイ１０６に表示する。このようなユーザーに対する質問に対するユーザーの回答がステップＳ２０２で判定される。すなわち、ステップＳ２０２では、ユーザーが課金を許可したか否かが判定される。ステップＳ２０２における判定結果がＹＥＳであるときにはステップＳ２０３に進み、（フラグ）＝「課金許可」とし、判定結果がＮＯであるときにはステップＳ２０４に進み、（フラグ）＝「課金不許可」とする。ステップＳ２０５では、リターンしてメインルーチンの方に戻る。このように、本実施形態では、課金意思確認処理を実行し、ユーザーの意思を確認した上で、ユーザーに対する課金を決裁するようにしているので、システム運用上課金に伴う煩わしさなどを解消することが可能となる。
【００４６】
メインルーチンのステップＳ１０５では、画面表示処理サブルーチンが実行される。図１０は本発明の実施形態に係るベッドサイド情報制御システムの画面表示処理サブルーチンのフローチャートを示す図である。図１０において、ステップＳ３００で、画面表示処理サブルーチンが開始されると、続いてステップＳ３０１で（フラグ）＝「課金許可」であるか否かが判定される。ステップＳ３０１における判定がＹＥＳであるときにはステップＳ３０２に進み、ＮＯであるときにはステップＳ３０３に進む。
【００４７】
ステップＳ３０２では、在床検出センサ１１０によってユーザーがベッド上に存在するか否かが判定される。ステップＳ３０２の判定結果がＹＥＳであるときにはステップＳ３０４に進み、ＮＯであるときにはステップＳ３０５に進む。
【００４８】
ステップＳ３０４では、ディスプレイ１０６に有料サービスも含めたサービスメニュー画面を表示する。ユーザーはこのサービスメニュー画面から自ら所望するサービスをリモコン１２１の操作により選択することができるようになっている。図１１はこのようなサービスメニュー画面の一例である。この例では、有料サービスも含めたサービスメニュー画面であり、ユーザーは「携帯電話利用サービス」、「食事選択サービス」、「売店サービス」、「テレビ視聴サービス」、「インターネット接続サービス」、「院内情報提供サービス」などのサービスから所望するサービスを選択することができるようになっている。ステップＳ３０５では、ユーザーが在床していないこととなるのでディスプレイ１０６を非表示とする。
【００４９】
図１１に示すようなサービスメニュー画面を構成する上では、病院内イントラネット用サーバー２００のカードチップＩＤデータベース２１０に記憶されているユーザー毎のＩＤに基づいて「決済手段有無」データが参照され、当該ユーザーに対して課金を行い得るかなどが考慮される。また、「食事選択サービス」の画面を構成する上では、医療情報データベース２２０に記憶されているユーザー毎の症状、症状に応じた献立データが参酌される。
【００５０】
ステップＳ３０６では、ディスプレイ１０６に有料サービスを除いたサービスメニュー画面を表示する。図１２はこのようなサービスメニュー画面の一例である。この例では、「売店サービス」、「インターネット接続サービス」などの有料サービスについてはユーザーが選択することができないようになっており、ユーザーは無料サービスである「携帯電話利用サービス」、「食事選択サービス」、「テレビ視聴サービス」、「院内情報提供サービス」などのサービスから所望するサービスを選択することができるようになってい
る。ステップＳ３０７では、ユーザーが在床していないこととなるのでディスプレイ１０６を非表示とする。ステップＳ３０８ではメインルーチンにリターンする。
【００５１】
なお、図１２に示すサービスメニュー画面例では、「売店サービス」、「インターネット接続サービス」などのユーザーが選択することができないメニューアイコンについては通常表示より薄い表示となっているが、これらの選択不能アイコンについては、全く表示しないようにしてもよい。このように選択不能アイコンを全く表示しないようにすると、ユーザーが選択できないメニューがあることに不満を感じたり、故障と勘違いされるようなことがなくなり、不要な問合せが少なくなって管理面の負担も軽減される。
【００５２】
本実施形態では、上記のように有料サービスも含めたサービスメニュー画面、有料サービスを除いたサービスメニュー画面のいずれにおいても、サービス利用可能なメニューが画面に表示されるので、ユーザーにとっては操作が簡便であるというメリットを享受することができる。
【００５３】
なお、上記の「インターネット接続サービス」におけるインターネット接続形態は、病院内イントラネット用サーバー２００を介する接続形態、携帯電話３００を介する接続形態のいずれの接続形態も採用することができる。インターネット接続形態として、病院内イントラネット用サーバーを介する接続形態とした場合には、高速、安定な接続が可能となり、また、携帯電話を介する接続形態とした場合には、病院側の設備、費用負担がなく、病院側ネットワークへのセキュリティ上の問題もない、という特徴がそれぞれある。
【００５４】
また、本発明の実施形態に係るベッドサイド情報制御システムでは、ステップＳ３０２乃至ステップＳ３０７のフローからも分かるように、在床検出センサ１１０などの在・不在検出手段によって、ディスプレイ１０６の表示を変更（表示又は非表示）するものであり、これによりユーザーの状況に応じたサービス提供を行うことが可能となる。
【００５５】
メインルーチンのステップＳ１０６では、ディスプレイ１０６にサービスメニュー画面を表示しつつ、ユーザーによる選択待ちを行う。そして、ステップＳ１０７では、携帯電話３００に着信があるか否かが判定される。判定結果がＹＥＳであるときにはステップＳ１１９に進み、ＮＯであるときにはステップＳ１０８に進む。ステップＳ１０８では、ユニット単位システムの終了指示があったか否かがチェックされ、チェックの結果がＹＥＳであるとステップＳ１２１に進みシステムの処理を収容し、ＮＯであるとステップＳ１０９に進む。
【００５６】
ステップＳ１０９では、ディスプレイ１０６のサービスメニュー画面で表示されているメニューからユーザーによって選択がなされたか否かが判定される。この判定結果がＹＥＳであるときにはステップＳ１１０に進み、ＮＯであるときにはステップＳ１０５に戻る。すなわち、携帯電話３００の着信や、システム終了指示、ユーザーによるサービス選択がない限り、ステップＳ１０５→ステップＳ１０９の間をループすることとなる。
【００５７】
ステップＳ１１０においては、ユーザーが携帯電話利用サービスを選択したか否かが判定される。このステップの判定結果がＹＥＳであるときにはステップＳ１１１に進み、ＮＯであるときにはステップＳ１１３に進む。ステップＳ１１１では、ディスプレイ１０６に発信用の携帯電話利用サービス画面を表示して、携帯電話利用サービスを実行する。図１３は本発明の実施形態に係るベッドサイド情報制御システムにおいて携帯電話発信時のディスプレイ画面表示例を示す図である。図１３に示すように、このサービスにおいては、ユーザーは「ヘッドセットを装着し、リモコンで電話番号を入力し、発信ボタンを選択して下さい。」、「登録されている通話先を選択する場合には、アドレス帳ボタンを選択して下さい。」のような指示メッセージに基づいて操作を行う。ここでユーザーは、番号
をリモコン１２１で入力するか、或いは、アドレス帳ボタンを選択する。ユーザーがアドレス帳ボタンを選択すると、携帯電話３００に記憶されている電話番号（アドレス帳）をモニター画面に表示しそれらのリストから選択することができるようになっている。携帯電話３００に記憶されているアドレス帳データは、携帯電話インターフェイス部１１６からシステム側に取り込まれる。番号を入力するか、アドレス帳から電話番号を選択し、通話ボタンを押すと、携帯電話３００をエミュレートする本発明の実施形態に係るベッドサイド情報制御システムからヘッドセット１１９を介して通話が可能となる。ステップＳ１１２で通話が終了すると、再びステップＳ１０５に進む。
【００５８】
ステップＳ１１３においては、ユーザーがインターネット接続サービスなどの有料サービスを選択したか否かが判定される。ステップＳ１１３の判定がＹＥＳであるときにはステップＳ１１４に進み、ＮＯであるときにはステップＳ１１７に進む。
【００５９】
ステップＳ１１４では、選択された有料サービスを実行し、ステップＳ１１５で、サービス終了か否かが判定され、サービス終了であると、ステップＳ１１６に進み、非接触式チップリーダーライター部１１７で所定の課金を実行し、再びステップＳ１０５に戻る。
【００６０】
ステップＳ１１３の判定結果がＮＯである時に進むステップＳ１１７では、選択された無料サービスを実行し、ステップＳ１１８でサービス終了か否かが判定され、サービス終了であるとステップＳ１０５に進む。
【００６１】
先のループ中のステップＳ１０７で携帯電話３００に着信があり、ステップＳ１１９に進んだ場合には、ディスプレイ１０６に着信用の携帯電話利用サービス画面を表示して、携帯電話利用サービスを実行する。図１４は本発明の実施形態に係るベッドサイド情報制御システムにおいて携帯電話着信時のディスプレイ画面表示例を示す図である。図１４に示すように、着信時においては、ユーザーは「着信しております。ヘッドセットを装着し、リモコンで着信ボタンを選択して下さい。」のような指示メッセージに基づいて操作を行い、携帯電話３００をエミュレートする本発明の実施形態に係るベッドサイド情報制御システムからヘッドセット１１９を介して通話が可能となる。なお、着信相手先が携帯電話３００のアドレス帳に記憶されているような場合には、携帯電話インターフェイス部１１６からシステム側に取り込み、図１４に示すディスプレイ画面に着信相手先に係る情報を表示するようにしてもよい。ステップＳ１２０で通話が終了すると、再びステップＳ１０５に進む。
【００６２】
以上、本発明のベッドサイド情報制御システムによれば、ユーザー毎にＩＤ、パスワード等を割り振る必要がなく、システムの運用管理のためのスタッフが不要であり、システムの管理・運用上、経済的負担や人材的負担などが皆無となる。
【００６３】
また、本発明のベッドサイド情報制御システムによれば、携帯電話が目に触れない形で携帯電話による通話ができる環境を整えることが可能となる。
【００６４】
なお、本発明のベッドサイド情報制御システムは、病院の入院施設のベッドサイドに設置されることを主に想定しているが、例えば数時間程度の外来診察時の待ち時間などに、患者に対して提供されるベッドやソファーなどの側に設置することもできる。
【符号の説明】
【００６５】
１・・・ベッドサイド情報制御システム（全体構成）、１０・・・ローカルエリアネットワーク、５０・・・床頭台、５１・・・収納部、１００・・・ベッドサイド情報制御システム（１ユニット構成）、１０１・・・ＣＰＵ、１０２・・・バス、１０３・・・不揮発性記憶部、１０４・・・ＲＡＭ、１０５・・・画像制御部、１０６・・・ディスプレイ、
１０７・・・画像入力インターフェイス部、１０８・・・カメラ、１０９・・・センサインターフェイス部、１１０・・・在床検出センサ、１１１・・・テレビ受信回路部、１１２・・・電源制御部、１１３・・・照明部、１１４・・・ナースコール端末インターフェイス部、１１５・・・ナースコール端末、１１６・・・携帯電話インターフェイス部、１１７・・・非接触式チップリーダーライター部、１１８・・・ヘッドセットインターフェイス部、１１９・・・ヘッドセット、１２０・・・リモコン受信部、１２１・・・リモコン、１２２・・・通信部、２００・・・病院内イントラネット用サーバー、２１０・・・カードチップＩＤデータベース、２２０・・・医療情報データベース、２５０・・・売店側受注端末、３００・・・携帯電話、３０１・・・通信部、３０２・・・コントローラー部、３０３・・・ストアードフェア型チップ、３５０・・・ストアードフェア型カード
【図１】
2011087802.tif 000003
【図２】
2011087802.tif 000004
【図３】
2011087802.tif 000005
【図４】
2011087802.tif 000006
【図５】
2011087802.tif 000007
【図６】
2011087802.tif 000008
【図７】
2011087802.tif 000009
【図８】
2011087802.tif 000010
【図９】
2011087802.tif 000011
【図１０】
2011087802.tif 000012
【図１１】
2011087802.tif 000013
【図１２】
2011087802.tif 000014
【図１３】
2011087802.tif 000015
【図１４】
2011087802.tif 000016